(57)【特許請求の範囲】
【請求項１】
安定な折り畳み式家庭用脚立装置であって、ハウジングと前記のハウジングに固定的に設置される加工座を含み、前記の加工座に前後に貫通する第一滑り筐体が設置され、前記の第一滑り筐体の内底壁に第一回転筐体が連通するように設置され、前記の第一滑り筐体に前後に伸びる第一滑り板が設置され、前記の第一滑り板の頂部の端面に前後に伸びる通り溝が設置され、前記の第一滑り板の中には二つの内歯スプラインが左右対称となりかつ下に開口するように設置され、前記の第一回転筐体の左側の前記の加工座に第二滑り筐体が設置され、前記の第一回転筐体と前記の第二滑り筐体の間に第一回転軸が回転可能に設置され、前記の第一回転軸の左側の伸びる端が前記の第二滑り筐体に入り込むかつ右側の伸びる端が前記の第一回転筐体の右側の内壁と回転可能に設置され、前記の第一回転軸には前記第一回転筐体の中に位置する二つの回転歯車が設置され、二つの前記回転歯車が左右対称となり、前記の第二滑り筐体に滑りブロックが設置され、前記の滑りブロックの左側の端面に第二滑り板が固定的に取り付けられ、前記の第二滑り板の左側の端に第一斜面が固定的に設置され、前記の滑りブロックの右側の端面に第一モータが設置され、前記の第一モータの右側の端面にスプライン軸受が伝動可能に設置され、前記のスプライン軸受に右に向かうスプライン溝が設置され、前記のスプライン溝にスプライン軸がスプラインに接続され、前記のスプライン軸の右側の端が前記の第一回転軸と固定的に接続し、前記の第二滑り筐体の左側の端壁に第三滑り筐体が設置され、前記の第三滑り筐体に第三滑り板が設置され、前記の第三滑り板の右側の端面にラックが設置されるかつ底部の端面に前記の第一斜面と相互に係合する第二斜面が固定的に設置され、前記の第一滑り筐体の左側の前記の加工座に取り付け筐体が設置され、前記の取り付け筐体に水圧タンクが固定的に設置され、前記の水圧タンクに水圧筐体が設置され、前記の水圧筐体の内頂壁に下に伸びる仕切りが固定的に設置され、前記の仕切りが前記の水圧筐体を左水圧筐体と右水圧筐体に分け、前記の左水圧筐体と右水圧筐体が連通するように設置され、前記の取り付け筐体の左側に第四滑り筐体が設置され、前記の第四滑り筐体に液圧装置が設置され、前記の左水圧筐体の内頂壁に上下に貫通する第一スルーホールが設置され、前記の左水圧筐体にピストン板が設置され、前記のピストン板の頂部に前記の第一スルーホールを貫通するかつ前記の第四滑り筐体に入り込む第一ガイドロッドが固定的に設置され、前記の取り付け筐体の内頂壁の右側に第二回転筐体が設置され、前記の右水圧筐体の内頂壁に上下に貫通する第二スルーホールが設置され、前記の右水圧筐体に滑りアームが設置され、前記の滑りアームの頂部に前記の第二スルーホールを貫通するかつ前記の第二回転筐体に入り込む第二ガイドロッドが固定的に設置され、前記の加工座に穿孔装置と照明装置が設置され、前記の穿孔装置が前記の第一滑り筐体の内頂壁に設置されるかつ前記の第二回転筐体と連通する第五滑り筐体を含み、前記の第五滑り筐体に第二滑りブロックが取り付けられ、前記の第二滑りブロックの底部の端面に第二モータが固定的に設置され、前記の第二モータの底部に下に伸びるドリルが伝動可能に設置され、前記の第五滑り筐体の左右両側の端壁に第一ストップ溝が対称に設置され、第一ストップ溝に前記の第二滑りブロックと固定的に接続される第一ストップブロックが設置され、前記の第二滑りブロックの頂部の端面に第一接続ブロックが固定的に設置され、前記の第一接続ブロックに前記の第二回転筐体に入り込む第一接続レバーがヒンジによって繋がれ、前記の第二回転筐体に第二回転軸を通じてヒンジアームが回転可能に設置され、前記のヒンジアームの上下両端がそれぞれ前記の第一接続レバーの頂部や前記の第二ガイドロッドの頂部とヒンジによって繋がれ、前記の液圧装置が前記の第四滑り筐体に設置される第四滑り板や前記の第四滑り筐体の内頂壁に設置されるかつ前記の第四滑り板の上部と伝動可能に接続する水圧シリンダーを含み、前記の第四滑り板の端面が前記の第一ガイドロッドの頂部と固定的に接続し、前記の第四滑り筐体と前記の第三滑り筐体の間に第三回転筐体が連通するように設置され、前記の第三回転筐体に回転リングが第三回転軸を通じて回転可能に設置され、前記の回転リングの外円の左側に前記のラックと噛み合うセクタ歯車が固定的に取り付けられ、前記の回転リングの外円の右側に前記の第四滑り筐体に入り込む第二接続レバーが固定的に設置され、前記の第一ガイドロッドの左側の端面に前記の第二接続レバーと蝶番接続する第二接続ブロックが固定的に設置され、前記の第一滑り筐体の左右端壁に前後に伸びる第二ストップ溝が対称に設置され、前記の第二ストップ溝に前記の第一滑り板と固定的に接続する第二ストップブロックが設置され、前記の第二滑り筐体の上下端壁に第三ストップ溝が対称に設置され、前記の第三ストップ溝に前記の滑りブロックと固定的に接続する第三ストップブロックが設置され、前記の第三ストップ溝の左側の内壁に前記の第三ストップブロックと突き合う引張りコイルばねが取り付けられ、前記の仕切りの右側の端面と前記の右水圧筐体の右側の内壁に第四ストップ溝が対称に設置られ、前記の第四ストップ溝に前記の滑りアームと固定的に取り付けられる第四ストップブロックが設置され、前記の第四ストップ溝の頂部に前記の第四ストップブロックと突き合う圧縮ばねが固定的に取り付けられ、前記の第一スルーホールと前記の第二スルーホールに密封リングが設置され、前記の照明装置が前記の加工座の左右両側の端面の頂部に左右対称に設置されるランプパネルと前記のランプパネルの底部に固定的に設置される照明ランプを含むことを特徴とする安定な折り畳み式家庭用脚立装置。
【発明の詳細な説明】
【技術分野】
【０００１】
本発明は脚立加工生産技術分野を取り上げて、具体的には安定な折り畳み式家庭用脚立装置である。
【背景技術】
【０００２】
折り畳み脚立は現在家具生活の中に幅広く使用られ、折り畳み脚立に数多くな折り畳み角があるため、加工生産中に原材料板に穿孔操作を行わなければならない。伝統的な穿孔操作には人力を頼り手動的に作業する場合が多く、労働強度が高い上に、生産効率もひどく低下する。現在に自動化穿孔装置は量が少なくないけど、協同作業が実現できないため、改善する余地が残っていると思う。
【先行技術文献】
【特許文献】
【０００３】
【特許文献１】中国特許出願公開第104196437号明細書
【発明の概要】
【発明が解決しようとする課題】
【０００４】
上記の技術の不足に対し、本発明は安定な折り畳み式家庭用脚立装置を提供する。
【課題を解決するための手段】
【０００５】
本発明装置の安定な折り畳み式家庭用脚立装置はハウジングと前記のハウジングに固定的に設置される加工座を含み、前記の加工座に前後に貫通する第一滑り筐体が設置され、前記の第一滑り筐体の内底壁に第一回転筐体が連通するように設置され、前記の第一滑り筐体に前後に伸びる第一滑り板が設置され、前記の第一滑り板の頂部の端面に前後に伸びる通り溝が設置され、前記の第一滑り板の中には二つの内歯スプラインが左右対称となりかつ下に開口するように設置され、前記の第一回転筐体の左側の前記の加工座に第二滑り筐体が設置され、前記の第一回転筐体と前記の第二滑り筐体の間に第一回転軸が回転可能に設置され、前記の第一回転軸の左側の伸びる端が前記の第二滑り筐体に入り込むかつ右側の伸びる端が前記の第一回転筐体の右側の内壁と回転可能に設置され、前記の第一回転軸には前記第一回転筐体の中に位置する二つの回転歯車が設置され、二つの前記回転歯車が左右対称となり、前記の第二滑り筐体に滑りブロックが設置され、前記の滑りブロックの左側の端面に第二滑り板が固定的に取り付けられ、前記の第二滑り板の左側の端に第一斜面が固定的に設置され、前記の滑りブロックの右側の端面に第一モータが設置され、前記の第一モータの右側の端面にスプライン軸受が伝動可能に設置され、前記のスプライン軸受に右に向かうスプライン溝が設置され、前記のスプライン溝にスプライン軸がスプラインに接続され、前記のスプライン軸の右側の端が前記の第一回転軸と固定的に接続し、前記の第二滑り筐体の左側の端壁に第三滑り筐体が設置され、前記の第三滑り筐体に第三滑り板が設置され、前記の第三滑り板の右側の端面にラックが設置されるかつ底部の端面に前記の第一斜面と相互に係合する第二斜面が固定的に設置され、前記の第一滑り筐体の左側の前記の加工座に取り付け筐体が設置され、前記の取り付け筐体に水圧タンクが固定的に設置され、前記の水圧タンクに水圧筐体が設置され、前記の水圧筐体の内頂壁に下に伸びる仕切りが固定的に設置され、前記の仕切りが前記の水圧筐体を左水圧筐体と右水圧筐体に分け、前記の左水圧筐体と右水圧筐体が連通するように設置され、前記の取り付け筐体の左側に第四滑り筐体が設置され、前記の第四滑り筐体に液圧装置が設置され、前記の左水圧筐体の内頂壁に上下に貫通する第一スルーホールが設置され、前記の左水圧筐体にピストン板が設置され、前記のピストン板の頂部に前記の第一スルーホールを貫通するかつ前記の第四滑り筐体に入り込む第一ガイドロッドが固定的に設置され、前記の取り付け筐体の内頂壁の右側に第二回転筐体が設置され、前記の右水圧筐体の内頂壁に上下に貫通する第二スルーホールが設置され、前記の右水圧筐体に滑りアームが設置され、前記の滑りアームの頂部に前記の第二スルーホールを貫通するかつ前記の第二回転筐体に入り込む第二ガイドロッドが固定的に設置され、前記の加工座に穿孔装置と照明装置が設置される。
【０００６】
更の技術プランとして、前記の穿孔装置が前記の第一滑り筐体の内頂壁に設置されるかつ前記の第二回転筐体と連通する第五滑り筐体を含み、前記の第五滑り筐体に第二滑りブロックが取り付けられ、前記の第二滑りブロックの底部の端面に第二モータが固定的に設置され、前記の第二モータの底部に下に伸びるドリルが伝動可能に設置され、前記の第五滑り筐体の左右両側の端壁に第一ストップ溝が対称に設置され、第一ストップ溝に前記の第二滑りブロックと固定的に接続される第一ストップブロックが設置され、前記の第二滑りブロックの頂部の端面に第一接続ブロックが固定的に設置され、前記の第一接続ブロックに前記の第二回転筐体に入り込む第一接続レバーがヒンジによって繋がれ、前記の第二回転筐体に第二回転軸を通じてヒンジアームが回転可能に設置され、前記のヒンジアームの上下両端がそれぞれ前記の第一接続レバーの頂部や前記の第二ガイドロッドの頂部とヒンジによって繋がれる。
【０００７】
更の技術プランとして、前記の液圧装置が前記の第四滑り筐体に設置される第四滑り板や前記の第四滑り筐体の内頂壁に設置されるかつ前記の第四滑り板の上部と伝動可能に接続する水圧シリンダーを含み、前記の第四滑り板の端面が前記の第一ガイドロッドの頂部と固定的に接続し、前記の第四滑り筐体と前記の第三滑り筐体の間に第三回転筐体が連通するように設置され、前記の第三回転筐体に回転リングが第三回転軸を通じて回転可能に設置され、前記の回転リングの外円の左側に前記のラックと噛み合うセクタ歯車が固定的に取り付けられ、前記の回転リングの外円の右側に前記の第四滑り筐体に入り込む第二接続レバーが固定的に設置され、前記の第一ガイドロッドの左側の端面に前記の第二接続レバーと蝶番接続する第二接続ブロックが固定的に設置される。
【０００８】
更の技術プランとして、前記の第一滑り筐体の左右端壁に前後に伸びる第二ストップ溝が対称に設置され、前記の第二ストップ溝に前記の第一滑り板と固定的に接続する第二ストップブロックが設置される。
【０００９】
更の技術プランとして、前記の第二滑り筐体の上下端壁に第三ストップ溝が対称に設置され、前記の第三ストップ溝に前記の滑りブロックと固定的に接続する第三ストップブロックが設置され、前記の第三ストップ溝の左側の内壁に前記の第三ストップブロックと突き合う引張りコイルばねが取り付けられる。
【００１０】
更の技術プランとして、前記の仕切りの右側の端面と前記の右水圧筐体の右側の内壁に第四ストップ溝が対称に設置られ、前記の第四ストップ溝に前記の滑りアームと固定的に取り付けられる第四ストップブロックが設置され、前記の第四ストップ溝の頂部に前記の第四ストップブロックと突き合う圧縮ばねが固定的に取り付けられる。
【００１１】
更の技術プランとして、前記の第一スルーホールと前記の第二スルーホールに密封リングが設置される。
【００１２】
更の技術プランとして、前記の照明装置が前記の加工座の左右両側の端面の頂部に左右対称に設置されるランプパネルと前記のランプパネルの底部に固定的に設置される照明ランプを含む。
【００１３】
本発明の有益効果は：
【００１４】
本発明装置は構造が簡単で、使用が便利で、前記の加工座に前後に貫通する第一滑り筐体が設置され、前記の第一滑り筐体の内底壁に第一回転筐体が連通するように設置され、前記の第一滑り筐体に前後に伸びる第一滑り板が設置され、前記の第一滑り板の頂部の端面に前後に伸びる通り溝が設置され、前記の第一滑り板の中には二つの内歯スプラインが左右対称となりかつ下に開口するように設置され、前記の第一回転筐体の左側の前記の加工座に第二滑り筐体が設置され、前記の第一回転筐体と前記の第二滑り筐体の間に第一回転軸が回転可能に設置され、前記の第一回転軸の左側の伸びる端が前記の第二滑り筐体に入り込むかつ右側の伸びる端が前記の第一回転筐体の右側の内壁と回転可能に設置され、前記の第一回転軸には前記第一回転筐体の中に位置する二つの回転歯車が設置され、二つの前記回転歯車が左右対称となり、前記の第二滑り筐体に滑りブロックが設置され、前記の滑りブロックの左側の端面に第二滑り板が固定的に取り付けられ、前記の第二滑り板の左側の端に第一斜面が固定的に設置され、前記の滑りブロックの右側の端面に第一モータが設置され、前記の第一モータの右側の端面にスプライン軸受が伝動可能に設置され、前記のスプライン軸受に右に向かうスプライン溝が設置され、前記のスプライン溝にスプライン軸がスプラインに接続され、前記のスプライン軸の右側の端が前記の第一回転軸と固定的に接続し、前記の第二滑り筐体の左側の端壁に第三滑り筐体が設置され、前記の第三滑り筐体に第三滑り板が設置され、前記の第三滑り板の右側の端面にラックが設置されるかつ底部の端面に前記の第一斜面と相互に係合する第二斜面が固定的に設置され、前記の第一滑り筐体の左側の前記の加工座に取り付け筐体が設置され、前記の取り付け筐体に水圧タンクが固定的に設置され、前記の水圧タンクに水圧筐体が設置され、前記の水圧筐体の内頂壁に下に伸びる仕切りが固定的に設置され、前記の仕切りが前記の水圧筐体を左水圧筐体と右水圧筐体に分け、前記の左水圧筐体と右水圧筐体が連通するように設置され、前記の取り付け筐体の左側に第四滑り筐体が設置され、前記の第四滑り筐体に液圧装置が設置され、前記の左水圧筐体の内頂壁に上下に貫通する第一スルーホールが設置され、前記の左水圧筐体にピストン板が設置され、前記のピストン板の頂部に前記の第一スルーホールを貫通するかつ前記の第四滑り筐体に入り込む第一ガイドロッドが固定的に設置され、前記の取り付け筐体の内頂壁の右側に第二回転筐体が設置され、前記の右水圧筐体の内頂壁に上下に貫通する第二スルーホールが設置され、前記の右水圧筐体に滑りアームが設置され、前記の滑りアームの頂部に前記の第二スルーホールを貫通するかつ前記の第二回転筐体に入り込む第二ガイドロッドが固定的に設置され、前記の加工座に穿孔装置が設置され、労働力の使用を大きく減少する同時に本発明の自動化を高め、加工効率を大きく高める。
【発明の効果】
【００１５】
本発明の有益効果は：
【００１６】
本発明装置は構造が簡単で、使用が便利で、前記の加工座に前後に貫通する第一滑り筐体が設置され、前記の第一滑り筐体の内底壁に第一回転筐体が連通するように設置され、前記の第一滑り筐体に前後に伸びる第一滑り板が設置され、前記の第一滑り板の頂部の端面に前後に伸びる通り溝が設置され、前記の第一滑り板の中には二つの内歯スプラインが左右対称となりかつ下に開口するように設置され、前記の第一回転筐体の左側の前記の加工座に第二滑り筐体が設置され、前記の第一回転筐体と前記の第二滑り筐体の間に第一回転軸が回転可能に設置され、前記の第一回転軸の左側の伸びる端が前記の第二滑り筐体に入り込むかつ右側の伸びる端が前記の第一回転筐体の右側の内壁と回転可能に設置され、前記の第一回転軸には前記第一回転筐体の中に位置する二つの回転歯車が設置され、二つの前記回転歯車が左右対称となり、前記の第二滑り筐体に滑りブロックが設置され、前記の滑りブロックの左側の端面に第二滑り板が固定的に取り付けられ、前記の第二滑り板の左側の端に第一斜面が固定的に設置され、前記の滑りブロックの右側の端面に第一モータが設置され、前記の第一モータの右側の端面にスプライン軸受が伝動可能に設置され、前記のスプライン軸受に右に向かうスプライン溝が設置され、前記のスプライン溝にスプライン軸がスプラインに接続され、前記のスプライン軸の右側の端が前記の第一回転軸と固定的に接続し、前記の第二滑り筐体の左側の端壁に第三滑り筐体が設置され、前記の第三滑り筐体に第三滑り板が設置され、前記の第三滑り板の右側の端面にラックが設置されるかつ底部の端面に前記の第一斜面と相互に係合する第二斜面が固定的に設置され、前記の第一滑り筐体の左側の前記の加工座に取り付け筐体が設置され、前記の取り付け筐体に水圧タンクが固定的に設置され、前記の水圧タンクに水圧筐体が設置され、前記の水圧筐体の内頂壁に下に伸びる仕切りが固定的に設置され、前記の仕切りが前記の水圧筐体を左水圧筐体と右水圧筐体に分け、前記の左水圧筐体と右水圧筐体が連通するように設置され、前記の取り付け筐体の左側に第四滑り筐体が設置され、前記の第四滑り筐体に液圧装置が設置され、前記の左水圧筐体の内頂壁に上下に貫通する第一スルーホールが設置され、前記の左水圧筐体にピストン板が設置され、前記のピストン板の頂部に前記の第一スルーホールを貫通するかつ前記の第四滑り筐体に入り込む第一ガイドロッドが固定的に設置され、前記の取り付け筐体の内頂壁の右側に第二回転筐体が設置され、前記の右水圧筐体の内頂壁に上下に貫通する第二スルーホールが設置され、前記の右水圧筐体に滑りアームが設置され、前記の滑りアームの頂部に前記の第二スルーホールを貫通するかつ前記の第二回転筐体に入り込む第二ガイドロッドが固定的に設置され、前記の加工座に穿孔装置が設置され、労働力の使用を大きく減少する同時に本発明の自動化を高め、加工効率を大きく高める。
【図面の簡単な説明】
【００１７】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。                
【００１８】
下記に図1〜２をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【図１】図1は本発明の安定な折り畳み式家庭用脚立装置の内部構造概略図である。
【図２】図2は図1のＡの拡大構造概略図である。
【発明を実施するための形態】
【００１９】
本発明書に開示した全ての特徴、或いは開示した全ての方法、過程中のステップは、互いに排斥する特徴或いはステップ以外に、いかなる方式で組み合わせることができる。
【００２０】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００２１】
図1〜2が示すように、本発明の安定な折り畳み式家庭用脚立装置はハウジング9と前記のハウジング9に固定的に設置される加工座10を含み、前記の加工座10に前後に貫通する第一滑り筐体11が設置され、前記の第一滑り筐体11の内底壁に第一回転筐体21が連通するように設置され、前記の第一滑り筐体11に前後に伸びる第一滑り板22が設置され、前記の第一滑り板22の頂部の端面に前後に伸びる通り溝19が設置され、前記の第一滑り板22の中には二つの内歯スプライン28が左右対称となりかつ下に開口するように設置され、前記の第一回転筐体21の左側の前記の加工座10に第二滑り筐体32が設置され、前記の第一回転筐体21と前記の第二滑り筐体32の間に第一回転軸23が回転可能に設置され、前記の第一回転軸23の左側の伸びる端が前記の第二滑り筐体32に入り込むかつ右側の伸びる端が前記の第一回転筐体21の右側の内壁と回転可能に設置され、前記の第一回転軸21には前記第一回転筐体21の中に位置する二つの回転歯車24が設置され、二つの前記回転歯車24が左右対称となり、前記の第二滑り筐体32に滑りブロック29が設置され、前記の滑りブロック29の左側の端面に第二滑り板33が固定的に取り付けられ、前記の第二滑り板33の左側の端に第一斜面35が固定的に設置され、前記の滑りブロック29の右側の端面に第一モータ28が設置され、前記の第一モータ28の右側の端面にスプライン軸受26が伝動可能に設置され、前記のスプライン軸受26に右に向かうスプライン溝が設置され、前記のスプライン溝にスプライン軸25がスプラインに接続され、前記のスプライン軸25の右側の端が前記の第一回転軸23と固定的に接続し、前記の第二滑り筐体32の左側の端壁に第三滑り筐体38が設置され、前記の第三滑り筐体38に第三滑り板37が設置され、前記の第三滑り板37の右側の端面にラックが設置されるかつ底部の端面に前記の第一斜面35と相互に係合する第二斜面34が固定的に設置され、前記の第一滑り筐体11の左側の前記の加工座10に取り付け筐体が設置され、前記の取り付け筐体に水圧タンク53が固定的に設置され、前記の水圧タンク53に水圧筐体が設置され、前記の水圧筐体の内頂壁に下に伸びる仕切り55が固定的に設置され、前記の仕切り55が前記の水圧筐体を左水圧筐体54と右水圧筐体57に分け、前記の左水圧筐体54と右水圧筐体57が連通するように設置され、前記の取り付け筐体の左側に第四滑り筐体45が設置され、前記の第四滑り筐体45に液圧装置が設置され、前記の左水圧筐体54の内頂壁に上下に貫通する第一スルーホールが設置され、前記の左水圧筐体54にピストン板56が設置され、前記のピストン板56の頂部に前記の第一スルーホールを貫通するかつ前記の第四滑り筐体45に入り込む第一ガイドロッド47が固定的に設置され、前記の取り付け筐体の内頂壁の右側に第二回転筐体48が設置され、前記の右水圧筐体57の内頂壁に上下に貫通する第二スルーホールが設置され、前記の右水圧筐体57に滑りアーム59が設置され、前記の滑りアーム59の頂部に前記の第二スルーホールを貫通するかつ前記の第二回転筐体48に入り込む第二ガイドロッド58が固定的に設置され、前記の加工座10に穿孔装置と照明装置が設置される。
【００２２】
有益なまた例を示すように、その中に、前記の穿孔装置が前記の第一滑り筐体11の内頂壁に設置されるかつ前記の第二回転筐体48と連通する第五滑り筐体12を含み、前記の第五滑り筐体12に第二滑りブロック13が取り付けられ、前記の第二滑りブロック13の底部の端面に第二モータ14が固定的に設置され、前記の第二モータ14の底部に下に伸びるドリル15が伝動可能に設置され、前記の第五滑り筐体12の左右両側の端壁に第一ストップ溝16が対称に設置され、第一ストップ溝16に前記の第二滑りブロック13と固定的に接続される第一ストップブロック17が設置され、前記の第二滑りブロック13の頂部の端面に第一接続ブロック52が固定的に設置され、前記の第一接続ブロック52に前記の第二回転筐体48に入り込む第一接続レバーがヒンジによって繋がれ、前記の第二回転筐体48に第二回転軸を通じてヒンジアーム50が回転可能に設置され、前記のヒンジアーム50の上下両端がそれぞれ前記の第一接続レバーの頂部や前記の第二ガイドロッド58の頂部とヒンジによって繋がれる。
【００２３】
有益なまた例を示すように、その中に、前記の液圧装置が前記の第四滑り筐体45に設置される第四滑り板46や前記の第四滑り筐体11の内頂壁に設置されるかつ前記の第四滑り板46の上部と伝動可能に接続する水圧シリンダー44を含み、前記の第四滑り板46の端面が前記の第一ガイドロッド47の頂部と固定的に接続し、前記の第四滑り筐体11と前記の第三滑り筐体38の間に第三回転筐体39が連通するように設置され、前記の第三回転筐体39に回転リング41が第三回転軸40を通じて回転可能に設置され、前記の回転リング41の外円の左側に前記のラックと噛み合うセクタ歯車36が固定的に取り付けられ、前記の回転リング41の外円の右側に前記の第四滑り筐体45に入り込む第二接続レバー42が固定的に設置され、前記の第一ガイドロッド47の左側の端面に前記の第二接続レバー42と蝶番接続する第二接続ブロック43が固定的に設置される。
【００２４】
有益なまた例を示すように、その中に、前記の第一滑り筐体の左右端壁に前後に伸びる第二ストップ溝が対称に設置され、前記の第二ストップ溝に前記の第一滑り板22と固定的に接続する第二ストップブロック20が設置される。
【００２５】
有益なまた例を示すように、その中に、前記の第二滑り筐体32の上下端壁に第三ストップ溝31が対称に設置され、前記の第三ストップ溝31に前記の滑りブロック29と固定的に接続する第三ストップブロック27が設置され、前記の第三ストップ溝31の左側の内壁に前記の第三ストップブロック27と突き合う引張りコイルばね30が取り付けられる。
【００２６】
有益なまた例を示すように、その中に、前記の仕切り55の右側の端面と前記の右水圧筐体57の右側の内壁に第四ストップ溝60が対称に設置られ、前記の第四ストップ溝60に前記の滑りアーム59と固定的に取り付けられる第四ストップブロック61が設置され、前記の第四ストップ溝60の頂部に前記の第四ストップブロック61と突き合う圧縮ばね62が固定的に取り付けられ、前記の圧縮ばね62が前記の滑りアーム59を下に圧することに用いられる。
【００２７】
有益なまた例を示すように、その中に、前記の第一スルーホールと前記の第二スルーホールに密封リング581が設置され、これにより密封性を増加する。
【００２８】
有益なまた例を示すように、その中に、前記の照明装置が前記の加工座10の左右両側の端面の頂部に左右対称に設置されるランプパネル61と前記のランプパネル61の底部に固定的に設置される照明ランプ62を含み、前記の照明ランプ62を通じて本装置の夜間操作の照明需要を満足できる。
【００２９】
本発明装置は初期状態にある時、前記のピストン板56の頂部が前記の左水圧筐体54の内頂壁と突き合い、前記のセクタ歯車36の作用のもとで前記の第三滑り板37が下に位置するかつ前記の第二斜面34の底部が前記の第三滑り筐体38の内底壁と突き合い、前記の第一斜面35が前記の第二滑り筐体32に完全に引っ込み、前記のスプライン軸受26が前記のスプライン溝と接続し、前記の水圧筐体の圧力と前記の圧縮ばね62の作用のもとで、前記の滑りアーム59が下に位置し、同時に前記のヒンジアーム50と前記の第一接続レバー51の作用のもとで、前記の第二滑りブロック13の頂部の端面が前記の第五滑り筐体12の頂盤と突き合い、前記のドリル15が前記の第五滑り筐体12に完全に収納される。
【００３０】
使用する時、原材料板を前記の第一滑り筐体11の前側から前記の第一滑り板22に置き、前記の第一モータ28と水圧シリンダー44と前記の第二モータ14を運転し、前記の第二モータ14が回転した後で前記のドリル15を駆動し回転し、前記の第一モータ28が回転した後で前記のスプライン軸受26を通じて前記の第一回転軸23と前記の回転歯車24を駆動し回転し、前記の第一滑り板22を後側に駆動しゆっくりとスライドし、それと同時に、前記の水圧シリンダー44が運転した後で前記の第四滑り板を下に推進し、前記の第四滑り板46が下に移動する過程で前記の第一ガイドロッド47を下にスライドし、前記の第一ガイドロッド47が下にスライドする時に前記の第二接続レバー42を通じて前記の回転リング41を駆動して前記のセクタ歯車36を連れて回転し、前記のセクタ歯車36が回転した後で前記のラックを通じて前記の第三滑り板を駆動し上にスライドし、前記の第一斜面35が徐々に前記の第三滑り板37の右側の端面との係合から離脱した後、前記の引張りコイルばね30の作用のもとで、前記の滑りブロック29が左にスライドし、前記の第一斜面35が第三滑り筐体38に入り込み、前記のスプライン軸25と前記のスプライン溝が係合から離脱し、前記の回転歯車24が回転を停止し、前記の第一滑り板22がスライドを停止し、前記の第一ガイドロッド47が下にスライドする時にピストン板56を連れて下にスライドし、前記のピストン板56が下にスライドした後で前記の左水圧筐体54の水圧気体を前記の右水圧筐体57に圧し、前記のスライドアーム59が上にスライドし、前記のスライドアーム59が上にスライドした後で前記の第二ガイドロッド58を通じて前記のヒンジアーム50を上に圧し、前記のヒンジアーム50が圧された後で回転し、それと同時に前記の第一接続レバー51を通じて前記の第二滑りブロック13を圧して前記のドリル15を連れて下に移動し、前記の第三滑り板37の頂部の端面が前記の第三滑り筐体38の内頂壁と突き合う時、前記の第四滑り板46の頂部の端面が前記の第四滑り筐体45の内壁と突き合い、前記のピストン板56が前記の左水圧筐体54の内底壁に位置し、前記のスライドアーム59の頂部の端面が前記の右水圧筐体57の内頂壁と突き合い、前記のドリル15が前記の第二モータ14の駆動のもとで前記の原材料板の穿孔操作を完成し、水圧シリンダー44の往復伸縮運動をコントロールすることで原材料板に直線に沿って等間隔に行う穿孔操作が実現できる。
【００３１】
第一枚の原材料板の穿孔操作が終わった後で、前記の第一滑り筐体11の後側の後から荷降ろしを行い、それと同時に第二枚の原材料板を第一滑り筐体11の後側から前記の第一滑り板22に置き、それと同時に前記の第一モータ28をコントロールし反転し、第二回の穿孔操作を行う。
【００３２】
本発明の有益効果は：
【００３３】
本発明装置は構造が簡単で、使用が便利で、前記の加工座に前後に貫通する第一滑り筐体が設置され、前記の第一滑り筐体の内底壁に第一回転筐体が連通するように設置され、前記の第一滑り筐体に前後に伸びる第一滑り板が設置され、前記の第一滑り板の頂部の端面に前後に伸びる通り溝が設置され、前記の第一滑り板の中には二つの内歯スプラインが左右対称となりかつ下に開口するように設置され、前記の第一回転筐体の左側の前記の加工座に第二滑り筐体が設置され、前記の第一回転筐体と前記の第二滑り筐体の間に第一回転軸が回転可能に設置され、前記の第一回転軸の左側の伸びる端が前記の第二滑り筐体に入り込むかつ右側の伸びる端が前記の第一回転筐体の右側の内壁と回転可能に設置され、前記の第一回転軸には前記第一回転筐体の中に位置する二つの回転歯車が設置され、二つの前記回転歯車が左右対称となり、前記の第二滑り筐体に滑りブロックが設置され、前記の滑りブロックの左側の端面に第二滑り板が固定的に取り付けられ、前記の第二滑り板の左側の端に第一斜面が固定的に設置され、前記の滑りブロックの右側の端面に第一モータが設置され、前記の第一モータの右側の端面にスプライン軸受が伝動可能に設置され、前記のスプライン軸受に右に向かうスプライン溝が設置され、前記のスプライン溝にスプライン軸がスプラインに接続され、前記のスプライン軸の右側の端が前記の第一回転軸と固定的に接続し、前記の第二滑り筐体の左側の端壁に第三滑り筐体が設置され、前記の第三滑り筐体に第三滑り板が設置され、前記の第三滑り板の右側の端面にラックが設置されるかつ底部の端面に前記の第一斜面と相互に係合する第二斜面が固定的に設置され、前記の第一滑り筐体の左側の前記の加工座に取り付け筐体が設置され、前記の取り付け筐体に水圧タンクが固定的に設置され、前記の水圧タンクに水圧筐体が設置され、前記の水圧筐体の内頂壁に下に伸びる仕切りが固定的に設置され、前記の仕切りが前記の水圧筐体を左水圧筐体と右水圧筐体に分け、前記の左水圧筐体と右水圧筐体が連通するように設置され、前記の取り付け筐体の左側に第四滑り筐体が設置され、前記の第四滑り筐体に液圧装置が設置され、前記の左水圧筐体の内頂壁に上下に貫通する第一スルーホールが設置され、前記の左水圧筐体にピストン板が設置され、前記のピストン板の頂部に前記の第一スルーホールを貫通するかつ前記の第四滑り筐体に入り込む第一ガイドロッドが固定的に設置され、前記の取り付け筐体の内頂壁の右側に第二回転筐体が設置され、前記の右水圧筐体の内頂壁に上下に貫通する第二スルーホールが設置され、前記の右水圧筐体に滑りアームが設置され、前記の滑りアームの頂部に前記の第二スルーホールを貫通するかつ前記の第二回転筐体に入り込む第二ガイドロッドが固定的に設置され、前記の加工座に穿孔装置が設置され、労働力の使用を大きく減少する同時に本発明の自動化を高め、加工効率を大きく高める。
【００３４】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【図１】
0006748394.tif 000002
【図２】
0006748394.tif 000003